(57)【特許請求の範囲】
【請求項１】
容器内容物が、容器側のステムに続く上流側部材に形成されて内容物通過用の内部空間とその流出側の開口部を備えた筒状の上流側通路および、当該上流側部材の当該上流側通路の外周面と当接して回動可能な下流側部材の、当該開口部と連通する別々の流入部からそれぞれに対応する放出孔までに形成された複数の放出通路部分から選択される下流側通路を通ることにより、外部空間に放出される内容物放出機構において、
前記筒状の上流側通路は、
内容物流出側となる前記開口部にいたるまで周面切欠部を設けずに周面部分全体がその一周にわたって連続し、かつ、前記外周面に、当該開口部側の端部から始まる溝通路部が、前記上流側部材と前記下流側部材との間の回動操作に応じて前記下流側通路の前記流入部と選択的に連通する態様で形成された、筒状部からなり、
前記下流側部材は、
前記筒状部が組み込まれて、かつ、この筒状部組込み後の状態で前記開口部との間に、当該開口部の下流側となる内容物通過用の空間域が確保される、凹状部を有し、
前記流入部は、
少なくとも前記凹状部の内周面の、前記筒状部組込み後における前記溝通路部との対向部分に形成されている、
ことを特徴とする内容物放出機構。
【請求項２】
前記溝通路部は、
前記外周面の前記開口部側の端部から始まるクランク状の溝部分である、
ことを特徴とする請求項１記載の内容物放出機構。
【請求項３】
前記複数の放出通路部分は、
前記回動操作にかかわらず常時、前記溝通路部を経ることなしに前記内容物通過用の空間域と直接連通する、放出通路部分を含んでいる、
ことを特徴とする請求項１記載の内容物放出機構。
【請求項４】
請求項１乃至３のいずれかに記載の内容物放出機構を備え、かつ、放出用ガスおよび内容物を収容した、
ことを特徴とするエアゾール式製品。
【請求項５】
請求項１乃至３のいずれかに記載の内容物放出機構を備え、かつ、内容物を収容した、
ことを特徴とするポンプ式製品。
【発明の詳細な説明】
【０００１】
【発明の属する技術分野】
本発明は、内容物放出機構ならびにこの機構を備えたエアゾール式製品および蓄圧式製品に関し、特に内容物放出用の上流側通路と、これとは独立した形の、当該上流側通路に続いて放出口までいたる下流側通路と、に対する相対的な回動操作により、内容物の放出範囲を変更できるようにしたものである。
【０００２】
この内容物放出機構は、エアゾールタイプおよびポンプ（蓄圧）タイプの何れの容器にも適用できるが、本明細書では説明の便宜上、必要に応じてエアゾール容器への適用例を前提とする。また、内容物を収納した容器側を「下」、放出操作を行う押釦側を「上」とする。
【０００３】
【従来の技術】
従来、ステムから放出孔に至る単一の内容物通路の途中部分の流れを調整する回動部材を設け、当該部材に対する回動操作でこの単一通路途中の内容物通過用孔部の有効個数を調整して内容物の放出範囲を可変できるようにした内容物放出機構がある（特開２００１−３００３５６号公報参照）。
【０００４】
この内容物放出機構の場合、回動部材の操作で、
（１）通路途中の内容物通過用孔部の作動個数を例えば一つにしてそこでの流れを絞り込むことにより、外部空間の内容物放出範囲を狭空間域とする、絞り込みモードと、
（２）通路途中の内容物通過用孔部の作動個数を例えば二つにしてそこでの流れを特に絞り込むことなしに、外部空間の内容物放出範囲を広空間域とする、非絞り込みモードと、
を選択的に設定している。
【０００５】
この内容物通過用孔部から放出口までのいわば（単一の）下流側通路の内周面の一部に凸状部を形成し、絞り込みモードのときには、当該凸状部で内容物通過用孔部の一つを塞いでいる。
【０００６】
そのため、絞り込みモードと非絞り込みモードとではこの単一下流側通路における内容物の流れの態様が異なる。
【０００７】
【発明が解決しようとする課題】
このように、従来の内容物放出機構では、絞り込みモード／非絞り込みモードの切換にともなって、ステムから放出口に至る単一の内容物通路の途中の空間状態（通路途中の内容物通過用孔部の作動個数）を積極的に変化させることにより、放出口からの内容物放出範囲を狭空間域と広空間域とに設定している。この設定手法でも外部空間の内容物放出範囲を有効に変更することができる。
【０００８】
本発明では、従来の内容物放出機構とは見方をかえて、放出口にいたる下流側通路自体には特別の構成要素を設けることなしに内容物放出範囲を変更し（図９参照）、また、複数の放出口と、当該放出口のそれぞれと対応した下流側通路とを設け、この個々の下流側通路と例えば単一の上流側通路との連通関係を切り換えて内容物放出範囲を変更することにより、この放出範囲の変更にともなって生じる各放出口から外部空間への放出内容物の状態変化（速度，量など）の低減化を図るとともに、放出範囲変更機能を持つ内容物放出機構についての技術の豊富化を図ることを目的とする。
【０００９】
【課題を解決するための手段】
（１）図７，図８，図１０，図１１に対応
容器内容物が、容器側のステム（例えば後述のステム５１ａ）に続く上流側部材（図７，図８の基部３４，図１０，図１１の押釦１７）に形成されて内容物通過用の内部空間（図７，図８の内部空間３４ｒ，図１０，図１１の内部空間１７ｂ，１７ｄ）とその流出側の開口部を備えた筒状の上流側通路および、当該上流側部材の当該上流側通路の外周面と当接して回動可能な下流側部材（図７，図８の押釦２４，図１０，図１１の回動部材２６）の、当該開口部と連通する別々の流入部（図７，図８の流入口２４ａ，２４ｂ，２４ｃ，図１０，図１１の通路２６ｇ，２６ｈ，２６ｉ）からそれぞれに対応する放出孔（図７，図８の放出孔１４ａ，１５ａ，図１０，図１１の放出孔３６ａ，３７ａ，３８ａ）までに形成された複数の放出通路部分（図７，図８の通路２４ｆ，２４ｇ，２４ｈ，図１０，図１１の通路２６ｇ，２６ｈ，２６ｉ）から選択される下流側通路を通ることにより、外部空間に放出される内容物放出機構において、
前記筒状の上流側通路は、
内容物流出側となる前記開口部にいたるまで周面切欠部を設けずに周面部分全体がその一周にわたって連続し、かつ、前記外周面に、当該開口部側の端部から始まる溝通路部（図７，図８の溝部分３４ｆ，３４ｇ，３４ｈ，図１０，図１１の溝部１７ｆ）が、前記上流側部材と前記下流側部材との間の回動操作に応じて前記下流側通路の前記流入部と選択的に連通する態様で形成された、筒状部（図７，図８の筒状部３４ｂ，図１０，図１１の筒状部１７ｃ）からなり、
前記下流側部材は、
前記筒状部が組み込まれて、かつ、この筒状部組込み後の状態で前記開口部との間に、当該開口部の下流側となる内容物通過用の空間域（図７，図８の空間域３４ｃ，図１０，図１１の空間域２６ｅ）が確保される、凹状部（図７，図８の流入口２４ａ，２４ｂ，２４ｃが形成された押釦凹状部，図１０，図１１の内側筒状部２６ｃ）を有し、
前記流入部は、
少なくとも前記凹状部の内周面の、前記筒状部組込み後における前記溝通路部との対向部分に形成されている、
内容物放出機構。
（２）図７，８に対応：
上記（１）において、
前記溝通路部は、
前記外周面の前記開口部側の端部から始まるクランク状の溝部分（例えば図７，８のクランク状溝部３４ｅ）である、
内容物放出機構。
（３）図１０，図１１に対応：
上記（１）において、
前記複数の前記放出通路部分は、
前記回動操作にかかわらず常時、前記溝通路部を経ることなしに前記内容物通過用の空間域と直接連通する、放出通路部分（例えば図１０，１１の中央放出通路２６ｇ，中央放出孔部材３６）を含んでいる、
内容物放出機構。
【００１１】
本発明はこのように、内容物放出用の下流側通路を複数形成してこの中から回動操作で選択したものと、上流側通路形成用の筒状部の外周面に設けた溝部とを連通させて内容物放出範囲の変更を行ない、この連通部で内容物の流れ方向を変化させるようにして、これにより内容物の新たな放出範囲変更手段の具体化や、下流側通路へと流れる内容物の混合・均一化を図っている。
【００１２】
また、特定の下流側通路を上流側通路に常に連通させ、利用者が回動操作を特に意識しなくてもこの下流側通路から内容物が放出されるように設定し、これにより放出操作の負担の低減化を図っている。
【００１３】
本発明は、以上の特徴を持つ内容物放出機構を対象とするとともに、これを備えた蓄圧方式製品およびエアゾール方式製品も対象にしている。
【００１４】
【発明の実施の形態】
図１乃至図１１を用いて本発明の実施の形態を説明する。なお、以下の説明では内容物放出用の個々の下流側通路（ステム側の共通の上流側通路に続いて各放出口に至る個々の通路）を「ウェイ」と記載する。
【００１５】
図１乃至図８は押釦の回動操作によって内容物の放出範囲・放出量を変更する内容物放出機構を示し、図９は押釦に設けた回動部材の回動操作によって放出範囲を変更する内容物放出機構を示し、図１０，図１１は押釦に設けた回動部材の回動操作によって放出範囲・放出量を変更する内容物放出機構を示している。
【００１６】
図１および図２は２ウェイの内容物放出機構Ａを示す説明図である。図１は１ウェイモードを示し、図２は２ウェイモードを示している。
【００１７】
図１および図２において、
Ａは２ウェイの内容物放出機構，
１１は上下の放出孔を備えた放出孔部材，１１ａは上方斜めに向けて形成された上側放出孔，１１ｂは略水平方向に向けて形成された下側放出孔，１１ｃは上側放出孔１１ａに対応する上側筒状部，１１ｄは下側放出孔１１ｂに対応する下側筒状部，１１ｅは後述の押釦２１と嵌合する突状部，
２１は上下の内容物の流入口を備えた押釦，２１ａは後述の空間域３１ｊに常に連通する上側流入口，２１ｂは後述の内部空間３１ｉに選択的に連通する下側流入口，２１ｃは後述の凹部３１ｆまたは３１ｇと係合して当該押釦の回動操作位置を保持する凸状部，２１ｄは１ウェイモード／２ウェイモードの切替用目印，２１ｅは放出孔部材１１の上側筒状部１１ｃとの間に形成される上側通路（ウェイ），２１ｆは下側筒状部１１ｄとの間に形成される下側通路（ウェイ），
３１は後述のステム５１ａに取り付けられた回動操作用の基部，３１ａは当該基部を肩カバー４１に固定するための切欠，３１ｂは筒状部，３１ｃは当該筒状部の上側周面に形成した上下方向のスリット，３１ｄは押釦２１の内周面に係合する環状突部，３１ｅは押釦２１の１ウェイモード設定の回動位置を保持するための凹部，３１ｆは押釦２１の２ウェイモード設定の回動位置を保持するための凹部，３１ｇは凹部３１ｅと凹部３１ｆの間の段部，３１ｈは後述のステム５１ａと嵌合する開口部，３１ｉは上流側通路を形成する内部空間，３１ｊは当該内部空間に続く空間域，
４１は肩カバー，４１ａは切欠３１ａに嵌合する突起，４１ｂは１ウェイモード表示部，４１ｃは２ウェイモード表示部，４１ｄは環状突状部，
５１は容器，５１ａはステム, ５１ｂはマウンテンキャップ，５１ｃは内容物を収納した容器本体,
をそれぞれ示している。
【００１８】
内容物放出機構Ａは、
・放出孔部材１１および押釦２１が、突状部１１ｅの作用により嵌合して固定化した操作側部分
・基部３１，肩カバー４１，ステム５１ａおよびマウンテンキャップ５１ｂなどが、切欠３１ａ，突起４１ａ，開口部３１ｈおよび環状突状部４１ｄなどの作用により嵌合して固定化した容器側部分
に大別される。
【００１９】
押釦２１は、その凸状部２１ｃが基部３１の「凹部３１ｅ−段部３１ｇ−凹部３１ｆ」を移動する範囲内で、回動できる。
【００２０】
押釦２１の基部３１などに対する回動操作により、
・上側流入口２１ａのみが作動する１ウェイモード
・上側流入口２１ａおよび下側流入口２１ｂがともに作動する２ウェイモード
を設定できる。
【００２１】
内容物の通路は、
（１）図１の１ウェイモードの場合
・内部空間３１ｉ−空間域３１ｊ−上側流入口２１ａ−上側通路２１ａ−上側放出孔１１ａ
の１経路であり、
（２）図２の２ウェイモードの場合
・内部空間３１ｉ−空間域３１ｊ−上側流入口２１ａ−上側通路２１ａ−上側放出孔１１ａ
・内部空間３１ｉ−スリット３１ｃ−下側流入口２１ｂ−下側通路２１ｆ−下側放出孔１１ｂ
の２経路となる。
【００２２】
容器の内容物が当該通路を経て外部空間に放出されるのは、勿論、押釦２１を押し下げてステム３１ｈと容器内部とが連通したときである。
【００２３】
１ウェイモードの設定状態、すなわち押釦２１の回動操作によりその目印２１ｄを１ウェイモード表示部４１ｂに合わせた状態（図１参照）では、
・押釦２１の凸状部２１ｃは基部３１の凹部３１ｅに係止され、
・押釦２１の上側流入口２１ａは基部３１の筒状部３１ｂに続く空間域３１ｊと連通し、
・押釦２１の下側流入口２１ｂは基部３１の筒状部３１ｂで閉塞されている。
【００２４】
２ウェイモードの設定状態、すなわち押釦２１の回動操作によりその目印２１ｄを２ウェイモード表示部４１ｃに合わせた（図２参照）状態では、
・押釦２１の凸状部２１ｃは基部３１の凹部３１ｆに係止され、
・押釦２１の上側流入口２１ａは基部３１の筒状部３１ｂに続く空間域３１ｊと連通し、
・押釦２１の下側流入口２１ｂは基部３１のスリット３１ｃと連通する位置になっている。
【００２５】
１ウェイモードと２ウェイモードとを切り換える回動操作の途中では、押釦２１は、その突状部２１ｃが基部３１の段部３１ｇに乗り上げてこれに慴動しながら当該基部に対して回動する。これと同様のことは、後述の内容物放出機構Ｂ，Ｃ，Ｄのそれぞれの場合にもいえる。
【００２６】
図１の１ウェイモードから図２の２ウェイモードに切り換えた場合、下側放出孔１１ｂからも内容物が放出されることになるが、これによる、上側放出孔１１ａからの内容物放出への影響はほとんど生じない。
【００２７】
それは、押釦２１の上側流入口２１ａから放出孔部材１１の上側放出孔１１ａに至る内容物通路が何ら変化しないからである。すなわち、各放出孔への内容物の共通供給源ともいえる筒状部３１ｂの内部空間３１ｉおよびこれに続く空間域３１ｊに対して、上側放出孔１１ａへの内容物通路と、下側放出孔１１ｂへの内容物通路とが個々に独立した形で連通するからである。
【００２８】
このように、放出操作時間が同じであれば、２ウェイモードの場合にも上側放出孔１１ａから放出される内容物の量は１ウェイモードの場合のそれと略同じになる。
【００２９】
したがって、２ウェイモードでは、上側放出孔１１ａからは１ウェイモードのときと同様の態様（速さ，量，圧力など）で内容物が外部空間に放出され、下側放出孔１１ａからの放出動作とあいまって放出範囲を拡大することができる。放出内容物の総量が下側放出孔１１ａからの分だけ増えることは勿論である。
【００３０】
上側放出孔１１ａは上方に向き、下側放出孔１１ｂは略水平に向けて形成されているので、内容物を上下方向に広い範囲に放出することができ、また、内容物の放出範囲が重複することが少なく内容物を均等に放出することができる。
【００３１】
なお、基部３１のスリット３１ｃに代えて、押釦２１の下側流入口２１ｂに対応する孔部を形成してもよい。
【００３２】
また、筒状部３１ｂの端部を操作釦２１に当接させ（空間域３１ｊを形成せずに）、当該筒状部に、上側流入口２１ａおよび下側流入口２１ｂのそれぞれに対応する孔部や、両方の流入口に対応する孔部を個々に形成してもよい。
【００３３】
図３および図４は３ウェイの内容物放出機構Ｂを示す説明図である。図３は１ウェイモードを示し、図４は３ウェイモードをそれぞれ示している。
【００３４】
図３および図４において、
Ｂは３ウェイの内容物放出機構，
１２は上下に三つの放出孔を備えた放出孔部材，１２ａは略水平方向に向けて形成された中央放出孔，１２ｂは上方斜めに向けて形成された上側放出孔，１２ｃは下方斜めに向けて形成された下側放出孔，１２ｄは中央放出孔１２ａに対応する中央筒状部，１２ｅは上側放出孔１２ｂに対応する上側筒状部，１２ｆは下側放出孔１２ｃに対応する下側筒状部，１２ｇは押釦と嵌合する突状部，
２２は上下に内容物の流入口を備えた押釦，２２ａは後述の内部空間３２ｎに常に連通する中央流入口，２２ｂは後述の内部空間３２ｎに選択的に連通する上側流入口，２２ｃは後述の内部空間３２ｎに選択的に連通する下側流入口，２２ｄは後述の凹部３２ｊまたは凹部３２ｋと係合して当該押釦の回動操作位置を保持する凸状部，２２ｅは１ウェイモード／３ウェイモード切替用目印，２２ｆは放出孔部材１２の中央筒状部１２ｄとの間に形成される中央通路（ウェイ），２２ｇは放出孔部材１２の上側筒状部１２ｅとの間に形成される上側通路（ウェイ），２２ｈは放出孔部材１２の下側筒状部１２ｆとの間に形成される下側通路（ウェイ），
３２は回動操作用の基部，３２ａは当該基部を肩カバー４１に固定するための切欠，３２ｂは筒状部，３２ｄは筒状部３２ｂの外周面，３２ｅは中央流入口２２ａに対応する中央孔部，３２ｆは上側流入口２２ｂに対応する上側孔部，３２ｇは下側流入口２２ｃに対応する下側孔部，３２ｈは押釦２２の内周面に係合する環状突部，３２ｉは押釦２２の１ウェイモード設定の回動位置を保持するための凹部，３２ｊは押釦２２の３ウェイモード設定の回動位置を保持するための凹部，３２ｋは凹部３２ｉと凹部３２ｊとの間の段部，３２ｍはステム５１ａと嵌合する開口部，３２ｎは上流側通路を形成する内部空間，
をそれぞれ示している。
【００３５】
なお、放出孔部材１２、押釦２２、基部３２、肩カバー４１の取り付け態様は、内容物放出機構Ａと同様である。肩カバー４１および容器５１は、内容物放出機構Ａと同様であり、同一の参照番号を用いて説明する。
【００３６】
押釦２２を回動することによって中央放出孔１２ａのみから内容物を放出する１ウェイモードと、中央放出孔１２ａ，上側放出孔１２ｂ，下側放出孔１２ｃの全放出孔から内容物を放出する３ウェイモードとを選択することができる。
【００３７】
内容物の通路は、
（１）図３の１ウェイモードの場合、
・内部空間３２ｎ−中央孔部３２ｅ−中央流入口２２ａ−中央通路２２ｆ−中央放出孔１２ａ
の１経路であり、
（２）図４の３ウェイモードの場合、
・内部空間３２ｎ−上側孔部３２ｆ−上側流入口２２ｂ−上側通路２２ｇ−上側放出孔１２ｂ
・内部空間３２ｎ−中央孔部３２ｅ−中央流入口２２ａ−中央通路２２ｆ−中央放出孔１２ａ
・内部空間３２ｎ−下側孔部３２ｇ−下側流入口２２ｃ−下側通路２２ｈ−下側放出孔１２ｃ
の３経路となる。
【００３８】
１ウェイモードの設定状態、すなわち押釦２２の回動操作によりその目印２１ｅを１ウェイモード表示部４１ｂに合わせた状態では、
・押釦２２の凸状部２２ｄが第１凹部３２ｉに係止され、
・押釦２２の中央流入口２２ａが中央孔部３２ｅに位置して内部空間３２ｎと連通し、
・上側流入口２２ｂおよび下側流入口２２ｃはともに外周面３２ｄで閉塞されている。
【００３９】
３ウェイモードの設定状態、すなわち押釦２２の回動操作によりその目印２２ｅを３ウェイモード表示部４１ｃに合わせた状態では、
・押釦２２の凸状部２２ｄは基部３２の凹部３２ｊに係止され、
・中央流入口２２ａ，上側流入口２２ｂ，下側流入口が２２ｃ、それぞれ中央孔部３２ｅ，上側孔部３２ｆ，下側孔部３２ｇに位置して内部空間３２ｎと連通する。
【００４０】
図３の１ウェイモードから図４の３ウェイモードに切り換えた場合、上側放出孔１２ｂと下側放出孔１２ｃからも内容物が放出されることになるが、これによる中央放出孔１２ａからの内容物放出への影響は、内容物放出機構Ａの場合と同様に、ほとんどない。
【００４１】
したがって、３ウェイモードでは、上側放出孔１２ｂと下側放出孔１２ｃからは１ウェイモードのときと同様の態様（速さ，量，圧力など）で内容物を外部空間に放出し、中央放出孔１２ａからの放出動作とあいまって放出量や放出範囲を拡大することができる。
【００４２】
さらに、中央放出孔１２ａは略水平方向、上側放出孔１２ｂは上方向、下側放出孔１２ｃは下方向に向けて形成されているので、内容物の放出範囲が重なることが少なく、均等に放出することができる。
【００４３】
なお、上側流入口２２ｂ，中央流入口２２ａ，下側流入口２２ｃのそれぞれに対応する孔部を基部３２にどのように形成するかは任意であり、例えば、１ウェイモード／２ウェイモードを選択できるように、上側流入口２２ｂのみが内部空間３２ｎに連通する位置に上側孔部を形成し、中央流入口２２ａと下側流入口２２ｃがともに内部空間３２ｎに連通する位置に中央孔部と下側孔部を形成してもよい。
【００４４】
図５および図６は２ウェイの内容物放出機構Ｃを示す説明図である。図５は左方向１ウェイモード、図６（ａ）は２ウェイモード、図６（ｂ）は右方向１ウェイモードをそれぞれ示している。
【００４５】
図５および図６において、
Ｃは２ウェイの内容物放出機構，
１３は周方向に二つの放出孔を備えた放出孔部材，１３ａは左側放出孔，１３ｂは右側放出孔，１３ｃは左側放出孔１３ａに対応する左側筒状部，１３ｄは右側放出孔１３ｂに対応する右側筒状部，１３ｅは押釦２３と嵌合する突状部，
２３は周方向に二つの内容物流入口を備えた押釦，２３ａは後述の回動操作用基部３３の内部空間３３ｊに選択的に連通する左側流入口，２３ｂは後述の回動操作用基部３３の内部空間３３ｊに選択的に連通する右側流入口，２３ｃは左方向１ウェイモード／２ウェイモード／右方向１ウェイ放出モードの切替用目印，２３ｄは放出孔部材１３の左側筒状部１３ｃとの間に形成される左側通路，２３ｅは放出孔部材１３の右側筒状部１３ｄとの間に形成される右側通路，
３３は幅広スリットを形成した回動操作用の基部，３３ａは基部３３を肩カバー４２に固定的に取り付ける切欠，３３ｂは筒状部，３３ｃは幅広スリット，３３ｄは押釦２３の内周面に係合する環状突部，３３ｅは押釦２３の左方向１ウェイモード設定の回動位置を保持するための凹部，３３ｆは押釦２３の２ウェイモード設定の回動位置を保持するための凹部，３３ｇは押釦２３の右方向１ウェイモード設定の回動位置を保持するための凹部，３３ｈは凹部３３ｅと３３ｆとの間の段部，３３ｉは凹部３３ｆと３３ｇとの間の段部，３３ｊは内部空間，
４２は三つの表示部が設けられた肩カバー，４２ａは基部３３の切欠３３ａに嵌合する突起，４２ｂは左方向１ウェイモードを示す表示部，４２ｃは２ウェイ放出モードを示す表示部，４２ｄは右方向１ウェイモードを示す表示部，
をそれぞれ示している。放出孔部材１３、押釦２３、基部３３、肩カバー４２の取り付け態様は内容物放出機構Ａなどと同様である。
【００４６】
押釦２３の基部３３などに対する回動操作により、
・左側流入口２３ａのみが動作する左方向１ウェイモード、
・左側流入口２３ａおよび右側流入口２３ｂがともに動作する２ウェイ放出モード、
・右側流入口２３ｂのみが動作する右方向１ウェイモード、
を設定できる。
【００４７】
押釦２３は、その突状部（図示省略）が基部３３の「凹部３３ｅ−段部３３ｈ−凹部３３ｆ−段部３３ｉ−凹部３３ｇ」を移動する範囲で、回動できる。
【００４８】
内容物の通路は、
（１）図５の左方向１ウェイモードの場合
・内部空間３３ｊ−スリット３３ｃ−左側流入口２３ａ−左側通路２３ｄ−左側放出孔１３ａ
の１経路であり、
（２）図６の２ウェイモードの場合
・内部空間３３ｊ−スリット３３ｃ−左側流入口２３ａ−左側通路２３ｄ−左側放出孔１３ａ
・内部空間３３ｊ−スリット３３ｃ−右側流入口２３ｂ−右側通路２３ｅ−右側放出孔１３ｂ
の２経路であり、
（３）図６の右方向１ウェイモードの場合
・内部空間３３ｊ−スリット３３ｃ−右側流入口２３ｂ−右側通路２３ｅ−右側放出孔１３ｂ
の１経路となる。
【００４９】
左方向１ウェイモードの設定状態、すなわち押釦２３の回動操作によりその目印２３ｃを左方向１ウェイモード表示部４２ｂに合わせた状態では、
・押釦２３の凸状部（図示省略）は凹部３３ｅに係止され、
・押釦２３の左側流入口２３ａは基部３３の内部空間３３ｊと連通し、
・押釦２３の右側流入口２３ｂは基部３３の筒状部３３ｂで閉塞されている。
【００５０】
２ウェイモードの設定状態、すなわち押釦２３の回動操作によりその目印２３ｃを２ウェイモード表示部４２ｃに合わせた状態では、
・押釦２３の凸状部（図示省略）は凹部３３ｆに係止され、
・押釦２３の左側流入口２３ａは基部３３の内部空間３３ｊと連通し、
・押釦２３の右側流入口２３ｂは基部３３の内部空間３３ｊと連通している。
【００５１】
右方向１ウェイモードの設定状態、すなわち押釦２３の回動操作によりその目印２３ｃを右方向１ウェイモード表示部４２ｄに合わせた状態では、
・押釦２３の凸状部（図示省略）は凹部３３ｇに係止され、
・押釦２３の左側流入口２３ａは基部３３の筒状部３３ｂで閉塞され、
・押釦２３の右側流入口２３ｂは基部３３の内部空間３３ｊと連通している。
【００５２】
内容物放出機構Ｃの各放出孔への下流側通路は個々に独立しているので、図５，図６のいずれのウェイモードにおいても、各放出孔からは内容物が同様の態様で外部空間に放出される。この様子は内容物放出機構Ａ〜Ｂと同じである。
【００５３】
したがって、２ウェイモードでの放出量は１ウェイモードでのそれよりも多い。また、左側放出孔１３ａは左方向、右側放出孔１３ｂは右方向に向けて形成されているので、左右方向に広い範囲に放出することができ、内容物の放出範囲が重なることが少なく均等に放出することができる。
【００５４】
図７および図８は３ウェイの内容物放出機構Ｄを示す説明図である。図７は狭範囲２ウェイモード、図８（ａ）は１ウェイモード、（ｂ）は広範囲２ウェイモードをそれぞれ示している。
【００５５】
図７および図８において、
Ｄは３ウェイの内容物放出機構，
１４は下側放出孔部材，１４ａは下側放出孔，１４ｂは下側放出孔１４ａに対応する下側筒状部，１４ｃは押釦２４と嵌合する突状部，
１５は上側放出孔部材，１５ａは上側放出孔，１５ｂは上側放出孔１５ａに対応する上側筒状部，１５ｃは押釦２４と嵌合する突状部，
２４は二つの放出孔に連通する三つの流入口が形成された押釦，２４ａは下側流入口，２４ｂは中央流入口，２４ｃは上側流入口，２４ｄは後述の凹部３４ｋまたは３４ｍまたは３４ｎと係合して当該押釦の回動操作位置を保持する凸状部，２４ｅは各モード切替用目印，２４ｆは下側流入口２４ａと下側放出孔１４ａを連通するストレート通路（ウェイ），２４ｇは中央流入口２４ｂと下側放出孔１４ａを連通する下側円筒形通路（ウェイ），２４ｈは上側流入口２４ｃと上側放出孔１５ａを連通する上側円筒形通路（ウェイ），
３４は回動操作用の基部，３４ａは基部３４を肩カバー（図示省略）に固定的に取り付ける切欠，３４ｂは筒状部，３４ｃは後述の内部空間３４ｒに続く空間域，３４ｄは筒状部３４ｂの外周面，３４ｅは下側流入口２４ａ，中央流入口２４ｂ，上側流入口２４ｃに対応するクランク状溝部，３４ｆはクランク状溝部の下側部分，３４ｇはクランク状溝部の水平部分，３４ｈはクランク状溝部の上側部分，３４ｉは押釦２４の内周面に係合する環状突部，３４ｊは水平方向２ウェイモードの回動位置を保持するための凹部，３４ｋは水平方向１ウェイモードの回動位置を保持するための凹部，３４ｍは広範囲２ウェイモードの回動位置を保持するための凹部，３４ｎは凹部３４ｊと３４ｋとの間の段部，３４ｐは凹部３４ｋと３４ｍとの間の段部，３４ｒは上流入口側通路を形成する内部空間、
をそれぞれ示している。
【００５６】
押釦２４の基部３４などに対する回動操作により、
・下側流入口２４ａのみが動作する１ウェイモード、
・下側流入口２４ａおよび中央流入口２４ｂがともに動作する狭範囲２ウェイモード、
・中央流入口２４ｂおよび上側流入口２４ｃがともに動作する広範囲２ウェイモード、
を設定できる。
【００５７】
押釦２４は、その突状部２４ａが基部３４の「凹部３４ｊ−段部３４ｎ−凹部３４ｋ−段部３４ｐ−凹部３４ｍ」を移動する範囲で、回動できる。
【００５８】
内容物の通路は、
（１）図７の狭範囲２ウェイモードの場合
・内部空間３４ｒ−空間域３４ｃ−クランク状溝部３４ｅ−下側流入口２４ａ−ストレート通路２４ｆ−下側放出孔１４ａ
・内部空間３４ｒ−空間域３４ｃ−クランク状溝部３４ｅ−中央流入口２４ｂ−下側円筒形通路２４ｇ−下側放出孔１４ａ
の２経路であり、
（２）図８の１ウェイモードの場合
・内部空間３４ｒ−空間域３４ｃ−クランク状溝部３４ｅ−中央流入口２４ｂ−下側円筒形通路２４ｇ−下側放出孔１４ａ
の１経路であり、
（３）図８の広範囲２ウェイモードの場合
・内部空間３４ｒ−空間域３４ｃ−クランク状溝部３４ｅ−中央流入口２４ｂ−下側円筒形通路２４ｇ−下側放出孔１４ａ
・内部空間３４ｒ−空間域３４ｃ−クランク状溝部３４ｅ−上側流入口２４ｃ−上側円筒形通路２４ｈ−上側放出孔１５ａ
の２経路となる。
【００５９】
図７の狭範囲２ウェイモードの設定状態では、
・押釦２４の凸状部２４ｄは基部３４の凹部３４ｊに係止され、
・押釦２４の下側流入口２４ａは基部３４の筒状部３４ｂに続く空間域３４ｃと連通し、
・押釦２４の中央流入口２４ｂは基部３４の筒状部３４ｂに続く空間域３４ｃと連通し、
・押釦２４の上側流入口２４ｃは基部３４の外周面３４ｄで閉塞されている。
【００６０】
図８の１ウェイモードの設定状態では、
・押釦２４の凸状部２４ｄは基部３４の凹部３４ｋに係止され、
・押釦２４の下側流入口２４ａは基部３４の外周面３４ｄで閉塞され、
・押釦２４の中央流入口２４ｂは基部３４の筒状部３４ｂに続く空間域３４ｃと連通し、
・押釦２４の上側流入口２４ｃは基部３４の外周面３４ｄで閉塞されている。
【００６１】
図８の広範囲２ウェイモードの設定状態では、
・押釦２４の凸状部２４ｄは基部３４の凹部３４ｍに係止され、
・押釦２４の下側流入口２４ａは基部３４の外周面３４ｄで閉塞され、
・押釦２４の中央流入口２４ｂは基部３４の筒状部３４ｂに続く空間域３４ｃと連通し、
・押釦２４の上側流入口２４ｃは基部３４の筒状部３４ｂに続く空間域３４ｃと連通している。
【００６２】
内容物放出機構Ｄの各放出孔への下流側通路は個々に独立しているので、図７，図８のいずれのウェイモードにおいても、各放出孔からは内容物が同様の態様で外部空間に放出される。この様子は内容物放出機構Ａ〜Ｃと同じである。
【００６３】
したがって、２ウェイモードで放出される内容物の総量は１ウェイモードのそれよりも多い。また、下側放出孔１４ａは略水平方向に向けて形成され、上側放出孔１５ａは上方向に向けて形成されているので、広範囲２ウェイモードでは内容物を上下方向の広範囲に放出することができ、放出範囲が重なることが少なく均等に放出することができる。
【００６４】
図９は１ウェイの内容物放出機構Ｅを示す説明図である。（ａ）は水平放出モード、（ｂ）は垂直放出モードをそれぞれ示している。
【００６５】
図９において、
Ｅは１ウェイの内容物放出機構，
１６は押釦，１６ａはステム５１ａと嵌合する開口部，１６ｂは共用通路，１６ｃは共用通路１６ｂから斜め上方に向けて形成された流出側開口部，
２５はへの字状回動部材，２５ａは基部，２５ｂは押釦１６の流出側開口部１６ｃに回動可能に嵌合する突状部，２５ｃは首部，２５ｄは内容物の通路，
３５は放出孔部材，３５ａは回動部材に固定的に嵌合する凸状部，３５ｂは放出孔，
をそれぞれ示している。なお、容器５１，ステム５１ａ，マウンテンキャップ５１ｂ，容器本体５１ｃは、内容物放出機構Ａと同様である。
【００６６】
ここで、放出孔部材３５および回動部材２５の固定嵌合物は、押釦１６およびステム５１ａの固定嵌合物に対して回動可能である。
【００６７】
内容物放出機構Ｅは、回動部材２５の押釦１６に対する回動操作により、
・放出孔３５ｂが略水平方向を向く水平方向放出モード
・放出孔３５ｂが略垂直方向を向く垂直方向放出モード
を設定できる。各モードにおける内容物の通路空間は同じである。
【００６８】
図１０および図１１は３ウェイの内容物放出機構Ｆを示す説明図である。図１０（ａ）は３ウェイモード、図１０（ｂ）は押釦と回動部材の斜視図、図１１は１ウェイモードをそれぞれ示している。
【００６９】
図１０および図１１において、
Ｆは３ウェイの内容物放出機構，
１７は押釦，１７ａはステム５１ａと嵌合する開口部，１７ｂは上流側通路を形成する内部空間，１７ｃは筒状部，１７ｄは上流側通路を形成する内部空間，１７ｅは外周面，１７ｆは外周面１７ｅに形成された溝部，１７ｇは開口部内周面，１７ｈは後述の回動部材２６の突起２６ｊまたは２６ｋと係合する凹部，
２６は三つの下流側通路を有する回動部材，２６ａは外側筒状部，２６ｂは押釦１７に回動可能に嵌合する突状部，２６ｃは内側筒状部，２６ｄは内側筒状部２６ｃの内周面に形成された溝部，２６ｅは空間域，２６ｆは外側筒状部２６ａと内側筒状部２６ｃとの間の空間部，２６ｇは中央放出通路，２６ｈは上側放出通路，２６ｉは下側放出通路，２６ｊは３ウェイモード設定位置を保持する突起，２６ｋは１ウェイモード設定位置を保持する突起，２６ｍは首部，
３６は中央放出孔部材，３６ａは中央放出孔，３６ｂは回動部材２６に固定的に嵌合する凸状部，
３７は上側放出孔部材，３７ａは上側放出孔，３７ｂは回動部材２６に固定的に嵌合する凸状部，
３８は下側放出孔部材，３８ａは下側放出孔，３８ｂは回動部材２６に固定的に嵌合する凸状部，
をそれぞれ示している。
【００７０】
内容物放出機構Ｆは、
・三つの放出孔部材３７，３８，３９および回動部材２６が突状部３６ｂ，３７ｂ，３８ｂの作用により嵌合して固定化した操作側部分
・押釦１７がステム５１ａに嵌合して固定化した容器側部分
に大別され、回動部材２６は押釦１７に対して回動可能である
【００７１】
回動部材２６の押釦１７に対する回動操作により、
・中央放出通路２６ｇ，上側放出通路２６ｈ，下側放出通路２６ｉの３つの通路が動作する３ウェイモード
・中央放出通路２６ｇのみが動作する１ウェイモード
を設定できる。
【００７２】
内容物の通路は、
（１）図１０の３ウェイモードの場合
・内部空間１７ｂ−横通路１７ｄ−空間域２６ｅ−押釦の溝部１７ｆ−回動部材の溝部２６ｄ−空間部２６ｆ−上側放出通路２６ｈ−上側放出孔３７ａ
・内部空間１７ｂ−横通路１７ｄ−空間域２６ｅ−中央放出通路２６ｇ−中央放出孔３６ａ
・内部空間１７ｂ−横通路１７ｄ−空間域２６ｅ−押釦の溝部１７ｆ−回動部材の溝部２６ｄ−空間部２６ｆ−下側放出通路２６ｉ−下側放出孔３８ａ
の３経路であり、
（２）図１１の１ウェイモードの場合
・内部空間１７ｂ−横通路１７ｄ−空間域２６ｅ−中央放出通路２６ｇ−中央放出孔３６ａ
の１経路となる。
【００７３】
３ウェイモードの設定状態、すなわち回動部材２６の回動操作によりその突起２６ｊを凹部１７ｈに係合させた状態では、押釦１７の溝部１７ｆと回動部材２６の溝部２６ｄとが重なって、空間域２６ｅと空間部２６ｆとが連通する。
【００７４】
１ウェイモードの設定状態、すなわち回動部材の回動操作によりその突起２６ｋを凹部１７ｈに係合させた状態では、押釦１７の溝部１７ｆと回動部材２６の溝部２６ｄとが重ならないので、空間域２６ｅは空間部２６ｆと連通しない。
【００７５】
空間域２６ｅから各放出孔への下流側通路は個々に独立しているので、放出操作時間が同じであれば、３ウェイモードの場合に一つの放出孔から放出される内容物の速さ，量，圧力などは１ウェイモードの場合のそれと略同じである。この様子は内容物放出機構Ａ〜Ｄと同様である。
【００７６】
３ウェイモードでは１ウェイモードに比べて放出総量および放出範囲が拡大している。
【００７７】
また、上側放出孔３７ａは上方に向き、下側放出孔３８ａは下方に向けて形成されているので、内容物を上下方向に広い範囲に放出することができ、また、内容物の放出範囲が重複することが少なく均等に放出することができる。
【００７８】
以上の内容物放出機構を用いたポンプ製品およびエアゾール製品としては、洗浄剤，清掃剤，制汗剤，忌避剤，医薬品，医薬部外品，化粧品，洗濯のりなどがある。
【００７９】
ポンプ製品またはエアゾール製品の内容物は、金属塩類粉末，無機物粉末や樹脂粉末などを用いる。例えばタルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤，金属イオン封鎖剤なども用いる。
【００８０】
エアゾール製品の放出用ガスには、ＬＰＧ，ジメチルエーテル，フルオロカーボン，炭酸ガス，窒素ガス，圧縮空気，酸素，希ガス，これらの混合ガスなどを用いる。
【００８１】
【発明の効果】
本発明は、このように、ともに内容物の放出範囲変更のための構成要素を新たに設けていない上流側通路および下流側通路の相対的な回動操作で、内容物放出範囲を（容器の）上下方向の面内の異なる方向、例えば水平方向と垂直方向とに設定しているので、放出内容物の状態変化の低減化を図るとともに、放出範囲変更機能についての技術の豊富化を図ることができる。
【００８２】
また、内容物放出用の下流側通路を複数形成してこの中から回動操作で選択したものと、上流側通路形成用の筒状部の周面に設けた貫通部，スリット状部，溝状部とを連通させて内容物放出範囲の変更を行ない、この連通部で内容物の流れ方向が変化するので、内容物の新たな放出範囲変更手段の具体化や、下流側通路へと流れる内容物の混合・均一化を図ることができる。
【００８３】
また、特定の下流側通路を上流側通路に常に連通させ、利用者が回動操作を特に意識しなくてもこの下流側通路からは内容物が放出されるように設定しているので、放出操作の負担の低減化を図ることができる。
【図面の簡単な説明】
【図１】本発明の、内容物放出機構Ａ（２ウェイ）の１ウェイモードをを示す説明図である。
【図２】本発明の、内容物放出機構Ａ（２ウェイ）の２ウェイモードをを示す説明図である。
【図３】本発明の、内容物放出機構Ｂ（３ウェイ）の１ウェイモードをを示す説明図である。
【図４】本発明の、内容物放出機構Ｂ（３ウェイ）の３ウェイモードをを示す説明図である。
【図５】本発明の、内容物放出機構Ｃ（２ウェイ）の１ウェイモード（その１）を示す説明図である。
【図６】本発明の、内容物放出機構Ｃ（２ウェイ）の２ウェイモードおよび１ウェイモード（その２）を示す説明図である。
【図７】本発明の、内容物放出機構Ｄ（３ウェイ）の２ウェイモード（その１）を示す説明図である。
【図８】本発明の、内容物放出機構Ｄ（３ウェイ）の１ウェイモードおよび２ウェイモード（その２）を示す説明図である。
【図９】本発明の、内容物放出機構Ｅ（１ウェイ）の第１，第２の放出モードを示す説明図である
【図１０】本発明の、内容物放出機構Ｆ（３ウェイ）の３ウェイモードを示す説明図である。
【図１１】本発明の、内容物放出機構Ｆ（３ウェイ）の１ウェイモードを示す説明図である。
【符号の説明】
Ａ〜Ｆ：内容物放出機構
１１〜１３：放出孔部材
１１ａ，１２ｂ：上側放出孔
１１ｂ，１２ｃ：下側放出孔
１１ｃ，１２ｅ：上側筒状部
１１ｄ，１２ｆ：下側筒状部
１１ｅ，１２ｇ，１３ｅ：突状部
１２ａ：中央放出孔
１２ｄ：中央筒状部
１３ａ：左側放出孔
１３ｂ：右側放出孔
１３ｃ：左側筒状部
１３ｄ：右側筒状部
１４：下側放出孔部材
１４ａ：下側放出孔
１４ｂ：下側筒状部
１４ｃ：突状部
１５：上側放出孔部材
１５ａ：上側放出孔
１５ｂ：上側筒状部
１５ｃ：突状部
１６，１７，２１〜２４：押釦
１６ａ，１７ａ：開口部
１６ｂ：上流側通路
１６ｃ：流出側開口部
１７ｂ，１７ｄ：内部空間
１７ｃ：筒状部
１７ｅ：筒状部外周面
１７ｆ：溝部
１７ｇ：開口部内周面
１７ｈ：凹部
２１ａ，２２ｂ，２４ｃ：上側流入口
２１ｂ，２２ｃ，２４ａ：下側流入口
２１ｃ：凸状部
２１ｄ，２２ｅ，２３ｃ，２４ｅ：切替用目印
２１ｅ，２２ｇ：上側通路
２１ｆ，２２ｈ：下側通路
２２ａ，２４ｂ：中央流入口
２２ｄ，２４ｄ：凸状部
２２ｆ：中央通路
２３ａ：左側流入口
２３ｂ：右側流入口
２３ｄ：左側通路
２３ｅ：右側通路
２４ｆ：ストレート通路
２４ｇ：下側円筒形通路
２４ｈ：上側円筒形通路
２５，２６：回動部材
２５ａ：基部
２５ｂ，２６ｂ：突状部
２５ｃ，２６ｍ：首部
２５ｄ：下流側通路
２６ａ：外側筒状部
２６ｃ：内側筒状部
２６ｄ：溝部
２６ｅ：空間域
２６ｆ：空間部
２６ｇ：中央放出通路
２６ｈ：上側放出通路
２６ｉ：下側放出通路
２６ｊ，２６ｋ：突起
３１，３２：回動操作用の基部
３１ａ，３２ａ：切欠
３１ｂ，３２ｂ：筒状部
３１ｃ：スリット
３１ｄ，３２ｈ：環状突部
３１ｅ，３１ｆ，３２ｉ，３２ｊ：凹部
３１ｇ，３２ｋ：段部
３１ｈ，３２ｍ：開口部
３１ｉ，３２ｎ：内部空間
３１ｊ：空間域
３２ｄ：外周面
３２ｅ：中央孔部
３２ｆ：上側孔部
３２ｇ：下側孔部
３３，３４：回動操作用の基部
３３ａ，３４ａ：切欠
３３ｂ，３４ｂ：筒状部
３３ｃ：幅広スリット
３３ｄ，３４ｉ：環状突部
３３ｅ，３３ｆ，３３ｇ，３４ｊ，３４ｋ，３４ｍ：凹部
３３ｈ，３３ｉ，３４ｎ，３４ｐ：段部
３３ｊ，３４ｒ：内部空間
３４ｃ：空間域
３４ｄ：外周面
３４ｅ：クランク状溝部
３４ｆ：下側部分
３４ｇ：水平部分
３４ｈ：上側部分
３５：放出孔部材
３５ａ：凸状部
３５ｂ：放出孔
３６：中央放出孔部材
３６ａ：中央放出孔
３６ｂ：凸状部
３７：上側放出孔部材
３７ａ：上側放出孔
３７ｂ：凸状部
３８：下側放出孔部材
３８ａ：下側放出孔
３８ｂ：凸状部
４１，４２：肩カバー
４１ａ，４２ａ：突起
４１ｂ：１ウェイモード表示部
４１ｃ，４２ｃ：２ウェイ放出モード表示部
４１ｄ：環状突状部
４２ｂ：左方向１ウェイモード表示部
４２ｄ：右方向１ウェイモード表示部
５１：容器
５１ａ：ステム
５１ｂ：マウンテンキャップ
５１ｃ：容器本体
【図１】
0004234354.tif 000002
【図２】
0004234354.tif 000003
【図３】
0004234354.tif 000004
【図４】
0004234354.tif 000005
【図５】
0004234354.tif 000006
【図６】
0004234354.tif 000007
【図７】
0004234354.tif 000008
【図８】
0004234354.tif 000009
【図９】
0004234354.tif 000010
【図１０】
0004234354.tif 000011
【図１１】
0004234354.tif 000012